(57)【要約】【課題】利用者の年齢層や性別、嗜好等に応じて最も広告効果の高い広告コンテンツを選択し、提示することのできる自動販売機を提供する。【解決手段】ＩＣカード１５０が提示されたとき、カード情報抽出部１２１が、ＩＣカード１５０に格納された利用者２００の年齢、性別、居住エリア等に関する個人情報を抽出する。表示広告選択部１７０は、この個人情報を考慮して、利用者２００に対して最も効果的と考えられる広告コンテンツを表示広告データベース１７２から選択する。選択された広告コンテンツは表示部１０２、スピーカー１０６により提示される。【選択図】  図１
2007172637.tif 000002
【特許請求の範囲】
【請求項１】
利用者情報を含むデータキャリアを利用して商品の販売を行うとともに利用者に広告を提示する自動販売機であって、
利用者情報を含むデータキャリアを受け付けるデータキャリア受付手段と、
前記データキャリアから前記利用者情報を抽出する利用者情報抽出手段と、
前記利用者情報を考慮して、前記利用者に提示する広告コンテンツを選択する広告選択手段と、
選択した広告コンテンツを利用者に提示する広告提示手段と、を備えることを特徴とする自動販売機。
【請求項２】
利用者情報を含むデータキャリアを利用して商品の販売を行うとともに利用者に広告を提示する自動販売機であって、
利用者情報を含むデータキャリアを受け付けるデータキャリア受付手段と、
前記データキャリアから前記利用者情報を抽出する利用者情報抽出手段と、
前記自動販売機が設置された環境に関わる環境情報を取得する環境情報取得手段と、
前記利用者情報および前記環境情報とを考慮して、前記利用者に提示する広告コンテンツを選択する広告選択手段と、
選択した広告コンテンツを利用者に提示する広告提示手段と、を備えることを特徴とする自動販売機。
【請求項３】
利用者情報を含むデータキャリアを利用して商品の販売を行うとともに利用者に広告を提示する自動販売機であって、
利用者からの商品購入要求を受け付ける購入要求受付手段と、
利用者情報を含むデータキャリアを受け付けるデータキャリア受付手段と、
前記データキャリアから前記利用者情報を抽出する利用者情報抽出手段と、
前記利用者情報に基づいて前記商品の販売を許可または禁止する販売可否判断手段と、
販売が許可されたとき、前記購入要求に応じて前記商品を払い出す払い出し手段と、
前記利用者情報を考慮して、前記利用者に提示する広告コンテンツを選択する広告選択手段と、
選択した広告コンテンツを利用者に提示する広告提示手段と、を備えることを特徴とする自動販売機。
【請求項４】
利用者情報を含むデータキャリアを利用して商品の販売を行うとともに利用者に広告を提示する自動販売機であって、
利用者からの商品購入要求を受け付ける購入要求受付手段と、
利用者情報を含むデータキャリアを受け付けるデータキャリア受付手段と、
前記データキャリアから前記利用者情報を抽出する利用者情報抽出手段と、
前記利用者情報に基づいて前記商品の販売を許可または禁止する販売可否判断手段と、
販売が許可されたとき、前記購入要求に応じて前記商品を払い出す払い出し手段と、
前記自動販売機が設置された環境に関わる環境情報を取得する環境情報取得手段と、
前記利用者情報および前記環境情報を考慮して、前記利用者に提示する広告コンテンツを選択する広告選択手段と、
選択した広告コンテンツを利用者に提示する広告提示手段と、を備えることを特徴とする自動販売機。
【請求項５】
請求項２または４に記載の自動販売機において、前記環境情報は、前記自動販売機周辺の人の密集状況に関する情報を含むことを特徴とする自動販売機。
【請求項６】
請求項１乃至５いずれかに記載の自動販売機において、複数の広告コンテンツを格納する広告記憶手段を備え、前記広告選択手段は、前記広告記憶手段に格納された広告コンテンツから、利用者に提示する広告コンテンツを選択することを特徴とする自動販売機。
【請求項７】
請求項１乃至６いずれかに記載の自動販売機において、情報管理サーバにあらかじめ登録された販売促進施策に関する情報をあわせて考慮して、前記広告コンテンツを選択することを特徴とする自動販売機。
【請求項８】
請求項１乃至７いずれかに記載の自動販売機において、前記広告選択手段は、販売日時をあわせて考慮して、前記広告コンテンツを選択することを特徴とする自動販売機。
【請求項９】
請求項１乃至８いずれかに記載の自動販売機において、前記広告選択手段は、販売時における気温または湿度をあわせて考慮して、前記広告コンテンツを選択することを特徴とする自動販売機。
【請求項１０】
自動販売機を用いて商品を販売する商品販売方法であって、前記自動販売機が、
利用者からの商品購入要求と、利用者情報を含むデータキャリアとを受け付けるステップと、
前記データキャリアから前記利用者情報を抽出するステップと、
前記利用者情報に基づいて前記商品の販売を許可または禁止し、販売を許可したとき、前記購入要求に応じて前記商品を払い出すステップと、
前記利用者情報を考慮して、前記利用者に提示する広告コンテンツを選択するステップと、
選択した広告コンテンツを利用者に提示するステップと、
を実行することを特徴とする商品販売方法。
【請求項１１】
自動販売機を用いて商品を販売する商品販売方法であって、前記自動販売機が、
利用者からの商品購入要求と、利用者情報を含むデータキャリアとを受け付けるステップと、
前記データキャリアから前記利用者情報を抽出するステップと、
前記利用者情報に基づいて前記商品の販売を許可または禁止し、販売を許可したとき、前記購入要求に応じて前記商品を払い出すステップと、
前記自動販売機が設置された環境に関わる環境情報を取得するステップと、
前記利用者情報および前記環境情報を考慮して、前記利用者に提示する広告コンテンツを選択するステップと、
選択した広告コンテンツを利用者に提示するステップと、
を実行することを特徴とする商品販売方法。
【請求項１２】
請求項１１に記載の商品販売方法において、前記環境情報として前記自動販売機周辺の人の密集状況に関する情報をあわせて考慮して、前記広告コンテンツを選択することを特徴とする商品販売方法。
【請求項１３】
請求項１０乃至１２いずれかに記載の商品販売方法において、情報管理サーバにあらかじめ登録された販売促進施策に関する情報をあわせて考慮して、前記広告コンテンツを選択することを特徴とする商品販売方法。
【請求項１４】
請求項１０乃至１３いずれかに記載の商品販売方法において、販売日時をあわせて考慮して、前記広告コンテンツを選択することを特徴とする商品販売方法。
【請求項１５】
請求項１０乃至１４いずれかに記載の商品販売方法において、販売時における気温または湿度をあわせて考慮して、前記広告コンテンツを選択することを特徴とする商品販売方法。
【発明の詳細な説明】
【技術分野】
【０００１】
本発明は、商品の販売を行うとともに利用者に広告を提示する自動販売機に関するものである。
【背景技術】
【０００２】
自動販売機の全面パネルを利用して商品の宣伝・広告を行う技術は、従来から多くの検討がなされてきた。たとえば、商品陳列棚に広告宣伝文字を表示させたり、硬貨投入時を契機として商品宣伝やゲーム表示を行う自動販売機が開発されてきた。
【０００３】
その後、表示技術の進歩と相俟って、従来のパネル形式の部材による広告表示に代え、電子表示を用いた広告表示が利用されるようになってきた（特許文献１）。さらに近年では、自動販売機を含むシステムを構築し、通信網を介して接続した情報処理装置から自動販売機の表示装置を制御する技術が開発されつつある。たとえば、外部のパーソナルコンピュータから自動販売機の表示装置に対する広告表示データの設定・登録、表示状態の監視を行う技術が提案されている（特許文献２）。
【０００４】
しかしながら、こうした従来の広告技術は、不特定多数の利用者に向けて広告を提示するものであり、利用者に応じて適切な広告を選択するという発想に立つものではなかった。また、自動販売機の設置された環境に対応した適切な広告を選択するという発想に立ったものでもなかった。このため、宣伝広告効果という観点からは必ずしも充分な成果は得られていないのが現状である。
【０００５】
【特許文献１】特開平１１−２４２７７３号公報
【特許文献２】特開２０００−１４９１１８号公報
【発明の開示】
【発明が解決しようとする課題】
【０００６】
本発明は、上記事情に鑑みなされたものであり、利用者の年齢層や性別、嗜好等に応じて最も広告効果の高い広告コンテンツを選択し、提示することのできる自動販売機を提供することを目的とする。また、自動販売機の設置された環境に応じて、最も広告効果の高い広告コンテンツを選択し、提示することのできる自動販売機を提供することを目的とする。
【課題を解決するための手段】
【０００７】
自動販売機における広告表示は、従来では不特定人を対象としていたため、広告表示に用いる情報自体の差別化を図ることによって、その実効をあらしめようとしていた。しかし、マーケティング上の戦略施策を広告によって達成するためには、特定人ごとに対して広告の抽出、編集を行う必要がある。そこで、本発明においては、たとえば認証という行為を通じて取得可能となる利用者各々の属性情報、すなわち利用者各々の静的情報を基礎として、更には、例えば、購入した商品・数量等の利用者の商品購入行動、自動販売機の設置周辺の人口密集度、自動販売機周辺の集客状況等の動的情報を加えることにより、利用者及び表示場所周辺の状況に応じた適切な広告の抽出および表示が実現される。
【０００８】
以下、本発明の構成について説明する。
本発明によれば、利用者情報を含むデータキャリアを利用して商品の販売を行うとともに利用者に広告を提示する自動販売機であって、利用者情報を含むデータキャリアを受け付けるデータキャリア受付手段と、前記データキャリアから前記利用者情報を抽出する利用者情報抽出手段と、前記利用者情報を考慮して、前記利用者に提示する広告コンテンツを選択する広告選択手段と、選択した広告コンテンツを利用者に提示する広告提示手段と、を備えることを特徴とする自動販売機が提供される。
【０００９】
本発明によれば、利用者情報を含むデータキャリアを利用して商品の販売を行うとともに利用者に広告を提示する自動販売機であって、利用者情報を含むデータキャリアを受け付けるデータキャリア受付手段と、前記データキャリアから前記利用者情報を抽出する利用者情報抽出手段と、前記自動販売機が設置された環境に関わる環境情報を取得する環境情報取得手段と、前記利用者情報および前記環境情報を考慮して、前記利用者に提示する広告コンテンツを選択する広告選択手段と、選択した広告コンテンツを利用者に提示する広告提示手段と、を備えることを特徴とする自動販売機が提供される。
【００１０】
また本発明によれば、利用者情報を含むデータキャリアを利用して商品の販売を行うとともに利用者に広告を提示する自動販売機であって、利用者からの商品購入要求を受け付ける購入要求受付手段と、利用者情報を含むデータキャリアを受け付けるデータキャリア受付手段と、前記データキャリアから前記利用者情報を抽出する利用者情報抽出手段と、前記利用者情報に基づいて前記商品の販売を許可または禁止する販売可否判断手段と、販売が許可されたとき、前記商品を払い出す払い出し手段と、前記利用者情報を考慮して、前記利用者に提示する広告コンテンツを選択する広告選択手段と、選択した広告コンテンツを利用者に提示する広告提示手段と、を備えることを特徴とする自動販売機が提供される。
【００１１】
また本発明によれば、利用者情報を含むデータキャリアを利用して商品の販売を行うとともに利用者に広告を提示する自動販売機であって、利用者からの商品購入要求を受け付ける購入要求受付手段と、利用者情報を含むデータキャリアを受け付けるデータキャリア受付手段と、前記データキャリアから前記利用者情報を抽出する利用者情報抽出手段と、前記利用者情報に基づいて前記商品の販売を許可または禁止する販売可否判断手段と、販売が許可されたとき、前記購入要求に応じて前記商品を払い出す払い出し手段と、前記自動販売機が設置された環境に関わる環境情報を取得する環境情報取得手段と、前記利用者情報および前記環境情報を考慮して、前記利用者に提示する広告コンテンツを選択する広告選択手段と、選択した広告コンテンツを利用者に提示する広告提示手段と、を備えることを特徴とする自動販売機が提供される。
【００１２】
さらに本発明によれば、自動販売機を用いて商品を販売する商品販売方法であって、前記自動販売機が、利用者からの商品購入要求と、利用者情報を含むデータキャリアとを受け付けるステップと、前記データキャリアから前記利用者情報を抽出するステップと、前記利用者情報に基づいて前記商品の販売を許可または禁止し、販売を許可したとき、前記購入要求に応じて前記商品を払い出すステップと、前記利用者情報を考慮して、前記利用者に提示する広告コンテンツを選択するステップと、選択した広告コンテンツを利用者に提示するステップと、を実行することを特徴とする商品販売方法が提供される。
【００１３】
また本発明によれば、自動販売機を用いて商品を販売する商品販売方法であって、前記自動販売機が、利用者からの商品購入要求と、利用者情報を含むデータキャリアとを受け付けるステップと、前記データキャリアから前記利用者情報を抽出するステップと、前記利用者情報に基づいて前記商品の販売を許可または禁止し、販売を許可したとき、前記購入要求に応じて前記商品を払い出すステップと、前記自動販売機が設置された環境に関わる環境情報を取得するステップと、前記利用者情報および前記環境情報を考慮して、前記利用者に提示する広告コンテンツを選択するステップと、選択した広告コンテンツを利用者に提示するステップと、を実行することを特徴とする商品販売方法が提供される。
【００１４】
本発明は、商品の販売に際し、データキャリアの提示を求める自動販売機に関するものである。データキャリアから抽出した利用者情報、すなわち、利用者の年齢、性別、居住エリア等の情報を考慮して広告コンテンツを選択するものである。このため、利用者の特性に合致した広告効果の高い広告コンテンツが適切に選択され、提示される。従来、この種の広告提示は、自動販売機を統括するセンター等から配信された広告コンテンツを適宜スケジューリングしながら利用者に表示するものが主流であり、広告を提示する側の情報に基づいて広告の選択がなされていた。これに対し本発明は、広告を提示する側の情報ではなく、利用者側の情報を反映させて広告コンテンツを選択するため、利用者の年齢層や性別、嗜好等に応じて最も広告効果の高い広告コンテンツを利用者に提示することができる。さらに、本発明においては、利用者情報として上記の静的情報に加えて利用者別商品購入履歴情報などの動的情報をさらに用いてもよい。こうすることによって、より一層販売促進効果の高い広告コンテンツを利用者に提示することができる。
【００１５】
本発明において広告コンテンツを選択する際、上記した利用者情報とあわせて種々の情報を考慮する構成とすることができる。こうした情報としては、
(i)情報管理サーバにあらかじめ登録された販売促進施策に関する情報（例えば販売促進商品情報）、
(ii)販売日時、
(iii)販売時における気温または湿度、
(iv)自動販売機の集客状況、
(v)自動販売機の設置された場所周辺の人の密集状況、
等を例示することができ、これらと利用者情報を組み合わせて考慮することにより、より一層効果的な広告コンテンツを選択することができる。なお、(ii)〜(v)は、販売環境に関する情報であるため、これらを適宜「環境情報」と呼ぶ。環境情報のうち、(iii)は静的情報、(iv)〜(v)は動的情報に分類され、(iv)は(v)の一態様である。したがって、本発明においては、利用者情報、環境情報それぞれについて静的情報、動的情報を反映させて広告コンテンツを選択することが可能となる。
【００１６】
本発明において、広告選択手段は利用者情報や環境情報、販売促進情報等を考慮して広告コンテンツを選択する。選択の仕方については種々の方式を採用できる。たとえば、複数の広告コンテンツを格納する広告記憶手段を備え、広告選択手段が、この広告記憶手段に格納された広告コンテンツから、利用者に提示する広告コンテンツを選択する方式を採用することができる。広告記憶手段は自動販売機の内部に配置されていてもよいし外部に配置されていてもよい。
【００１７】
本発明において、広告選択手段によって選択される広告コンテンツには、販売促進をナビゲートするためのナビゲート用コンテンツを含むことができる。こうすることにより、利用者情報や環境情報、販売促進情報等に即した広告コンテンツを提示するとともに、販売促進の購入に導くためのナビゲート用コンテンツを提示させることが可能となる。したがって、利用者に適切な広告提示を行うことに加え、利用者が販売促進対象商品をより購入しやすくするためのナビゲート用コンテンツを選択し、提示することが可能となる。よって、販売促進対象商品の購入に導くための情報提示を的確に行うことができる。
【００１８】
本発明におけるデータキャリアは、たとえば、商品の販売にあたって利用者が成人であるかどうかを判断する目的で使用される。こうした方式は、たばこや酒類等、法律によって未成年への販売が禁止されている商品の販売規制を好適に適用することができる。本発明においては、利用者情報がデータキャリアに格納されており、この情報を参照することにより、販売可否判断、たとえば成人であるかどうかの判断が行われる。
【００１９】
本発明におけるデータキャリアは、非接触ＩＣカード、非接触ＩＣタグのほか、携帯電話内等に収納された非接触型ＩＣチップを含む。また、カードやタグの形態を採用する場合、販売許可を得る以外の他の目的を兼ね備えたカード等とすることができる。さらに、携帯電話内等に認証用の赤外線投受光器を収納し、これを非接触データキャリアとして用いてもよい。
【００２０】
本発明における「商品」は様々な形態の商品を含むが、たとえば、一定要件を満たす者に対してのみ販売が許可される性質の商品とすることができる。具体的には、たばこ、酒類等、法律等により決められた年令に到達した者に対してのみ販売を許可する性質の商品とすることができる。なお、ここでいう商品は、物品の形態をとるものに限らず、サービスや情報等も含まれる。
【００２１】
本発明における「利用者」とは、本発明に係る自動販売機を利用して商品を購入する者をいう。
本発明における「通信網」とは、通信回路、ケーブル、無線等を介して複数の情報処理装置を接続するものであり、インターネット、ＷＡＮ(World Area Network)、ＬＡＮ(Local Area Network)等を含むものである。
【００２２】
本発明における販売可否判断手段は、利用者情報とあらかじめ設定された販売許可条件とを比較することにより、商品の販売を許可または禁止するものとすることができる。また、利用者の情報以外の要素を考慮して販売可否判断を行っても良い。たとえば、商品購入要求が一定の時間帯内になされた場合に商品の販売を禁止する構成とすることもできる。こうした時間帯による販売規制は、たとえば酒類等の販売等に関し好適に適用される。
【００２３】
以上、本発明の構成について説明したが、これらの各構成の任意の組合せや、本発明の表現を方法、装置、システム、記録媒体、コンピュータプログラムなどの間で変換したものもまた、本発明の態様として有効である。
【発明の効果】
【００２４】
以上説明したように本発明によれば、利用者情報を考慮して、利用者に提示する広告コンテンツが選択される。このため、広告を提示する側の情報ではなく、利用者側の情報を反映させて広告コンテンツが選択され、利用者の年齢層や性別、嗜好等に応じて最も広告効果の高い広告コンテンツが利用者に提示される。また、自動販売機の集客状況を考慮して広告コンテンツが選択されるため、自動販売機の設置された環境に応じて最も広告効果の高い広告コンテンツが利用者に提示される。
【発明を実施するための最良の形態】
【００２５】
（第一の実施形態）
図１に、本発明に係る自動販売機を含むシステムの一例を示す。ここで、このシステムについて説明する前に、システムを構成するＩＣカード１５０および自動販売機について説明する。
【００２６】
本発明において用いられるＩＣカードは、たとえば図３に示すような方式により発行される。まず、利用者２００は、販売店２０２からカード発行申込書を受け取り、このカード発行申込書に所定の事項を記入し、自分が成人であることを証明する書類、たとえば運転免許証のコピー等を添付してカード発行会社２０１に送付する。カード発行会社２０１は、カード申込書に記載された事項および証明書類を照合した上で利用者の成人認証を行い、年令や性別等の個人情報を格納したＩＣカードを発行し、これを利用者２００に送付する。
【００２７】
このＩＣカードは、電子マネーカードとしての機能を兼ね備えるものであるため、利用者２００は、このカードを使用するに先がけて、金額情報をカードに書き込んで金額更新を行う。具体的には、販売店２０２の有するチャージ機２０４にカードを設置し、任意の金額をチャージ機２０４に挿入することにより、カードの金額更新を行う。
【００２８】
また、自動販売機２０３とチャージ機２０４とが一体化された構成としてもよい。こうすることにより、利用者２００にとっての利便性が向上し、売上の向上につながる。たとえば、自動販売機２０３のみではカードの残高不足であるために利用者２００が購入機会を逸失する場合でも、チャージ機２０４が一体化されていればチャージが可能となり、利用者２００を確実に購買に導くことができる。
【００２９】
ＩＣカード１５０は、データを記憶・制御するＩＣチップと、自動販売機に対してデータの送受信を行うアンテナと、により構成されている。ＩＣチップの内部構造は、図４のようになっており、制御部１５３、ＲＯＭ１５４、ＲＡＭ１５５、ＥＥＰＲＯＭ１５６、通信部１５７がバス１５８によって接続された構成を有している。ＲＯＭ１５４には、各種処理プログラムやデータを記憶するための記憶回路等が格納されている。ＲＡＭ１５５およびＥＥＰＲＯＭ１５６には、種々のデータが格納されている。
【００３０】
本発明の自動販売機の一例について図５に概略構成を示す。この自動販売機には、前面パネルにサンプル見本３０１が設けられ、商品サンプルが陳列されている。この自動販売機はＩＣカードによる商品の購入だけでなく、現金による商品の購入も可能となっており、さらに、ＩＣカードの残高不足分を現金で充当する方法で商品を購入することも可能である。このため、前面パネルに、ＩＣカード読取部３０５とともに札投入口３０２、釣り銭戻しレバー３０３、硬貨投入口３０４が設けられている。そして、現金を使用した場合の釣銭を取り出すための釣銭口３０８が設けられている。購入した商品は商品搬出口３０９から取り出す。なお、ＩＣカード使用手順等については、液晶表示部３０６によりナビゲートがなされる。
【００３１】
次に、図１を参照して本実施形態に係る自動販売機について説明する。この自動販売機は、販売待機状態と、利用者から商品購入要求を受け付けた状態の両方の状態において、自動販売機の表示部に広告が提示されるようになっている。提示される広告コンテンツは図１の自動販売機１００中に配置された表示広告データベース１７２に格納されている。この広告コンテンツは、随時情報管理サーバ８３０から配信され、つねに最新のものに更新される。この点について以下説明する。
【００３２】
情報管理サーバ８３０は、通信部８３１、データベース制御部８５０および広告データベース８５１により構成されている。広告データベース８５１には、随時最新の広告が追加され、更新される。データベース制御部８５０は広告データベース８５１にアクセスし、適宜、通信部８３１を介して追加された広告を各自動販売機に配信する。広告コンテンツの配信は、通信網９５０、中継サーバ９４０を介して行われる（Ｔ１０１、Ｔ１０２、Ｔ１０３、Ｔ１０４）。配信された広告コンテンツは、自動販売機１００内の通信部１２８で受け付けられ、その後、データベース制御部１７１へ転送される（Ｔ１０５）。そして、これらの広告コンテンツは表示広告データベース１７２へ格納される（Ｔ１０６）。ここで、表示広告データベース１７２へ格納される広告コンテンツは、後に表示広告選択部１７０およびデータベース制御部１７１による検索に対応できるよう、所定のキーワードや識別フラグと関連付けられた形態となっている。
【００３３】
情報管理サーバ８３０から自動販売機１００に対しては、上記のように広告コンテンツが配信されるばかりでなく、表示広告を選択する際に利用されるデータベース検索用のテーブル（後述）が配信される。テーブルの配信は、通信網９５０、中継サーバ９４０を介して行われる（Ｔ１０１，Ｔ１０２，Ｔ１０３，Ｔ１０４）。配信されたテーブルは、自動販売機１００内の通信部１２８で受け付けられ、その後、データベース制御部１７１へ転送された後（Ｔ１０５）、表示広告選択部１７０を介して検索条件データベース１７４へ格納される（Ｔ１０６）。
以上のような広告コンテンツ、検索用テーブルの配信は、適宜、バッチ処理により行われる。
【００３４】
次に利用者２００から商品の購入要求を受け付けた後、広告を表示し、商品を払い出すまでの流れについて説明する。この流れの概要は以下のとおりである。すなわち、ＩＣカード１５０が提示されたとき、カード情報抽出部１２１が、ＩＣカード１５０に格納された利用者２００の年齢、性別、居住エリア等に関する個人情報を抽出する。表示広告選択部１７０は、この個人情報を考慮して、利用者２００に対して最も効果的と考えられる広告コンテンツを表示広告データベース１７２から選択する。選択された広告コンテンツは表示部１０２、スピーカー１０６により提示される。以下、この流れについて、システムを構成する各部に対応させてより詳細に説明する。
【００３５】
利用者２００からの商品購入要求は、まず、商品購入受付部１０３にて受け付けられる（Ｓ１１４）。この情報を受け、スタンバイモードにあったカード読み取り部１０１が動作モードに移行するとともに、利用者２００に対してＩＣカード１５０の提示を求める表示（不図示）がなされる。
【００３６】
続いて利用者２００は、ＩＣカード１５０を自動販売機１００のユーザインターフェース１１０に提示する。カード読み取り部１０１は、ＩＣカード１５０に格納された情報を読み取り（Ｓ１０１）、カード情報抽出部１２１へデータを送る（Ｓ１０２）。カード情報抽出部１２１は、ＩＣカード１５０に格納された個人情報および金額情報（残高情報）を抽出した後、これらの情報を制御部１２５に送るとともに（Ｓ１０３）、販売可否判断部１２２に送る（Ｓ１１２）。そして、販売可否判断部１２２にて認証および販売可否判断の各ステップが実行される間、制御部１２５から得た情報に基づいて、表示広告選択部１７０、データベース制御部１７１および表示広告データベース１７２の連携により、表示広告が選択され、表示部１０２により表示される。
【００３７】
表示する広告コンテンツの選択は以下のステップにより実行される。まず制御部１２５が、上記したようにカード情報抽出部１２１から個人情報および金額情報を受けるとともに（Ｓ１０３）、商品購入受付部１０３から販売する商品に関する情報、たとえば販売する商品の銘柄、価格および量についての情報を取得するとともに、温湿度センサ１９９から気温および湿度のデータを取得する（Ｓ１１５ａ、Ｓ１１５ｂ）。そしてこれらの情報を表示広告選択部１７０へ送る（Ｓ１０４）。表示広告選択部１７０は、利用者２００の年齢、性別等の個人情報や、販売対象商品、販売日時および販売地域等の情報を勘案して、データベース検索論理を作成し（Ｓ１０５）、この検索論理をデータベース制御部が実行する（Ｓ１０６）。そして、検索条件に合致した表示広告コンテンツが見つかると（Ｓ１０７）、該当表示広告の番号を表示広告選択部１７０へ送信する（Ｓ１０８）。この広告番号は、表示広告選択部１７０から制御部１２５へ転送される（Ｓ１０９）。
【００３８】
ステップ１０５およびステップ１０６に示される検索方法については、種々の形態を採用することができる。以下、その一例について説明する。
図８は、本実施形態において表示広告コンテンツを選択する際に用いられるデータテーブルである。サンプルＡ〜Ｄは、それぞれ検索式作成用データを示す。各サンプルは、それぞれ図中に示された各項目のデータを含んでいる。これらのデータはＩ〜ＩＶに分類される。情報種別Ｉのデータは、図１において利用者２００によって提示されたＩＣカード１５０から抽出されたデータであり、利用者情報を示す。情報種別ＩＩのデータは、図１において利用者２００によって購入要求された商品に関するデータである。情報種別ＩＩＩのデータは、図１において情報管理サーバ８３０から配信された販売促進商品に関するデータである。情報種別ＩＶのデータは、温湿度センサ１９９から取得されたデータおよび自動販売機内部に配置された計時部（不図示）等から取得されたデータを含む。これらのＩ〜ＩＶに分類されたデータを利用することにより、検索が実行される。
【００３９】
ここで、販売待機状態と、利用者から商品購入要求を受け付けた状態とでは、それぞれ異なる検索が実行される。利用者から商品購入要求を受け付けた状態では、表示広告選択部１７０は、まずサンプルＡの情報種別Ｉのデータを参照する。そして、これらのデータ群とＩＣカード１５０から抽出したデータ群とを対比し、両者がすべての項目について合致した場合、図中、下段に示す広告コンテンツが、表示すべき広告として選択される。情報種別ＩのデータがＩＣカード１５０から抽出したデータ群と合致しない場合は、情報種別ＩＩのデータと、商品購入受付部１０３から取得した販売商品に関する情報とを対比し、両者が合致するかどうかを判別する。両者が合致した場合は、図中、下段に示す広告コンテンツが表示すべき広告として選択される。合致しない場合は、サンプルＢのデータ群の参照に移る。以後、上記したのと同じステップをサンプルＢ、Ｃ・・・について繰り返して実行し、表示すべき広告コンテンツを選択する。
【００４０】
一方、販売待機状態においては、情報種別ＩＩＩおよびＩＶのデータ群を参照することにより広告コンテンツの検索が行われる。まず情報種別ＩＩＩに示された販売促進商品と、図１における商品購入受付部１０３で受け付けられた商品とを対比して両者が合致すれば、当該サンプルのデータが選択される。合致しない場合は、今度は情報種別ＩＶのデータ群と、温湿度センサ１９９から取得されたデータおよび自動販売機内部に配置された計時部（不図示）等から取得されたデータ群とを対比し、両者が合致すれば、当該サンプルのデータが選択される。以上のステップを各サンプルに対して繰り返して実行し、表示すべき広告コンテンツを選択する。情報種別ＩＩＩの参照により、販売促進すべき商品を、地域、時期等に応じて重点的に広告することができる。また、情報種別ＩＶの参照により、たとえば蒸し暑い夏の夜に購入要求がなされた場合は、清涼感を誘起させるようなイメージの広告を選別してこれを利用者２００に提示するといった方式を実現することができる。
【００４１】
以上の方式による検索論理は、一つの例を示したものにすぎず、他の様々な態様を採用することができる。検索論理は、表示広告選択部１７０において作成され、データベース制御部１７１において実行される。
【００４２】
表示広告の候補が挙げられた段階で、制御部１２５は、実際に表示する広告を選択するとともに、その広告効果がより顕著となるよう、適宜広告コンテンツの取捨選択を行うとともに、表示の順番を調整する。そして、制御部１２５は、データベース制御部１７１に対して表示広告番号を指定して広告コンテンツを要求し（Ｔ２０１）、これをリアルタイムに取得する（Ｔ２０２）。取得した広告コンテンツは、表示部１０２を介して利用者２００に提示される（Ｓ１１０）。音声についてはスピーカ１０６を介して利用者２００へ提供される（Ｓ１１１）。
【００４３】
以上述べたステップにより広告の提示が行われる間、販売可否判断部１２２において認証および販売可否判断の各ステップが実行される。すなわち、販売可否判断部１２２では、カード情報抽出部１２１から送られた情報に基づき、利用者２００が成人であるかどうか、ＩＣカード１５０に格納された金額情報が、商品を購入することができる金額であるかどうかを判断する。この結果、商品を販売することが可能であると判断した場合は、その旨が販売可否判断部１２２から制御部１２５へ伝達される（Ｓ１１３）。その後、払出部１０４を介して購入要求された商品が払い出される（Ｓ１１６）。
【００４４】
本実施形態において、ＩＣカード１５０は、販売可否判断のために利用されるとともに、広告効果の高い広告を選別するための情報源として活用されている。ＩＣカード１５０からカード情報抽出部１２１が抽出する情報は、利用者２００の年齢、性別の他、利用者２００が過去購入した商品の銘柄や購入した時期等の情報も含まれる。こうした情報に基づいて広告を選別することにより、利用者２００に対し高いアピール力を持った広告を実現することが可能となる。
なお、表示広告コンテンツを選別するためのデータは図８に示したものに限られず、商品が販売される種々の状況等を勘案して表示広告を選定することができる。
【００４５】
図１における情報のやりとりを簡略化して表示すると、図２のようになる。すなわち、情報送信部、表示広告選別部、表示広告記憶部および表示制御部のそれぞれの間のデータのやりとりが示されている。図中情報送信部は、図１におけるカード情報抽出部１２１に対応する。表示広告選別部は、表示広告選択部１７０およびデータベース制御部１７１に対応する。表示広告記憶部は、表示広告データベース１７２に対応する。表示制御部は図１の制御部１２５に対応する。まず情報送信部からＩＣカード情報や温湿度情報が送信される（Ｓ２０１）。次いで、これらの情報を受信した表示広告選別部が、表示広告記憶部に対して広告検索を実行する（Ｓ２０２）。検索の結果、表示広告選別部は表示広告記憶部より検索条件にあった広告ナンバーを取得する（Ｓ２０３）。この選定広告ナンバーは表示広告選別部から表示制御部へと送信される（Ｓ２０４）。表示制御部では、これらの広告を適切な順番に並べ、随時表示広告記憶部に対して広告要求を実行し（Ｓ２０５）、広告コンテンツを取得する（Ｓ２０６）。
【００４６】
この方式では、選定広告ナンバーがいったん表示広告選別部に通知された後、これが表示制御部に転送され、表示制御部において、随時広告要求がなされるようになっている。これを簡略化して、図７のような方式を採用することもできる。図７に示した方式によれば、表示広告選別部から広告検索が実行され（Ｓ２０２）、条件に合った広告が、随時表示広告記憶部から表示制御部へ送信される（Ｓ２０６）。この方式によれば広告コンテンツを利用者に提示するまでに必要なステップの数が少ないため、利用者２００に対する広告の提示に要する時間が短くなり、効率の良い広告提示が実現される。図６は、図７のフローチャートに対応するシステム構成図である。図６は概略図１と同様の構成となっているが、検索条件に合致した広告が、データベース制御部１７１から制御部１２５へ直接送信される（Ｓ１０８）点が図１と異なっている。
【００４７】
（第二の実施形態）
本実施形態の自動販売機では、第一の実施形態に記載の自動販売機において、利用者情報に加え、自動販売機の集客状況や、自動販売機の設置された周囲の人口密度等の環境情報をさらに考慮する構成としたものである。そして、広告表示に加え、ナビゲーション表示が提示される。
【００４８】
本実施形態に係る自動販売機は、図５の自動販売機と概略等しいが、サンプル見本３０１が図１１（ａ）に示す構成となっている。図１１（ａ）において、陳列されたサンプル１２２３の背面にバックライト１２２５が設けられている。バックライト１２２５は、サンプル１２２３ごとに一つずつ設けた構成としてもよいし、一列のサンプル全体に設けられた構成としてもよい。また、利用者が商品を購入する際に押下するための商品選択ボタン１２２７には、ナビゲーション表示部１２２９が設けられている。バックライト１２２５およびナビゲーション表示部１２２９が、後述のナビゲーション表示に用いられる。
【００４９】
次に、図９を参照して本実施形態に係る自動販売機１００について説明する。図９は、自動販売機１００を含むシステムの一例を示す図である。図９の自動販売機１００についても第一の実施形態同様、表示部１０２に広告が提示される。なお、図９における表示部１０２には、図５における液晶表示部３０６に加え、図１１（ａ）における、バックライト１２２５とナビゲーション表示部１２２９が含まれ、バックライト１２２５およびナビゲーション表示部１２２９では、利用者に購入を推薦する商品のナビゲーションが提示される。
【００５０】
図１２は、本実施形態において表示広告コンテンツを選択する際に用いられるデータテーブルである。図１２では、図８の項目に加え、情報種別Ｉのデータに、利用者の購入履歴に関する情報を含んでいる。利用者の購入履歴は、他の利用者情報と同様に、ＩＣカード１５０から抽出される。また、情報種別Ｖのデータがさらに設けられている。情報種別Ｖのデータは、図９において集客状況センサ１２３１から制御部１２５に送信された自動販売機１００の集客状況に関するデータである。
【００５１】
なお、集客状況センサ１２３１の態様として、たとえば自動販売機の左右の端部付近に赤外線センサを設置し、自動販売機前面への利用者の出入りを検出し、制御部１２５に送信する構成とすることができる。また、自動販売機１００の集客状況に加え、自動販売機１００の設置された周囲の人口密度に関する情報を取得し、集客状況センサ１２３１に送信してもよい。自動販売機１００の周囲の人口密度とは、自動販売機１００の設置された場所周辺の人の密集状況、すなわち自動販売機１００の置かれた周辺における人の往来の大小を指す。たとえば人感知センサ等を設置し、これにより、利用者の滞在状態を検知し、集客状況センサ１２３１に送信することができる。
【００５２】
図１２において、利用者から商品購入要求を受け付けた状態で、情報種別Ｉのデータに含まれる利用者の購入履歴に関する情報がさらに参照される。このため、ＩＣカード１５０から抽出される利用者の年齢、性別等の静的情報に加え、購買履歴などの動的情報も積極的に活用される。また、販売待機状態では、情報種別Ｖのデータがさらに参照される。したがって、利用者の購入履歴に応じた販売促進や、滞在人口の粗密に応じた販売促進を行うことができる。このように、利用者情報および自動販売機１００の設置環境について、温度、湿度等の静的情報に加えて自動販売機１００周囲の人口密度や自動販売機１００の集客状況等の動的情報を踏まえ、広告コンテンツを選択することにより、販売促進すべき商品を、より一層的確に広告することができる。さらに、広告表示の選択に加え、バックライト１２２５およびナビゲーション表示部１２２９におけるナビゲーション表示の種類も選択される。このとき、バックライト１２２５は点灯または消灯し、点灯時の色が変化する。たとえば販売促進の対象となる商品をライトアップする。また、ナビゲーション表示部１２２９では、図１１（ｂ）、図１１（ｃ）に示すように、推薦の対象となるサンプル１２２３について、「ＮＥＷ」、「おすすめ」等のキャッチコピーの表示がなされる。このため、販売促進すべき商品を、より一層的確に広告するとともに、利用者の購買意欲を増進させ、購買に導くことが可能となる。
【００５３】
図９における情報のやりとりを簡略化して表示すると、図１０のようになる。図中情報送信部は、図９におけるカード情報抽出部１２１または集客状況センサ１２３１に対応する。図１０では図２で送受信されるデータに加え、情報送信部から集客状況センサ情報が送信される（Ｓ２００）。また、表示制御部から表示広告記憶部に対して要求される広告要求には、ナビゲーション表示に関する情報が含まれる。広告提示に関しては、企業の販売促進のターゲット商品の購入に繋がるＰＲの工夫にも配慮しておく必要があるが、本実施形態によれば、広告提示よりさらに進歩したナビゲーション提示も行われるため、こうしたＰＲを効果的に行うことができる。
【００５４】
なお、第一の実施形態における図６と同様に、図９においても、検索条件に合致した広告が、データベース制御部１７１から制御部１２５へ直接送信される構成としてもよい。こうすることにより、広告の提示に要する時間が短くなり、効率の良い広告提示が実現される。
以上、本発明を実施の形態をもとに説明した。この実施の形態は例示であり、様々な応用が可能なことは当業者に理解されるところである。
【図面の簡単な説明】
【００５５】
【図１】本発明に係る自動販売機を含むシステムの概略図である。
【図２】本発明に係る自動販売機における処理手順を示す図である。
【図３】ＩＣカードの発行手順を説明するための図である。
【図４】ＩＣカードの構造を説明するための図である。
【図５】本発明に係る自動販売機の外観図である。
【図６】本発明に係る自動販売機を含むシステムの概略図である。
【図７】本発明に係る自動販売機における処理手順を示す図である。
【図８】本発明において広告コンテンツを選択する際に用いられるデータテーブルの一例である。
【図９】本発明に係る自動販売機を含むシステムの概略図である。
【図１０】本発明に係る自動販売機における処理手順を示す図である。
【図１１】図５の自動販売機におけるサンプル見本を拡大した詳細図である。
【図１２】本発明において広告コンテンツを選択する際に用いられるデータテーブルの一例である。
【符号の説明】
【００５６】
１００  自動販売機
１０１  カード読取部
１０２  表示部
１０３  商品購入受付部
１０４  払出部
１０６  スピーカー
１１０  ユーザインターフェース
１２１  カード情報抽出部
１２２  販売可否判断部
１２５  制御部
１２８  通信部
１５０  ＩＣカード
１５３  制御部
１５４  ＲＯＭ
１５５  ＲＡＭ
１５６  ＥＥＰＲＯＭ
１５７  通信部
１５８  バス
１７０  表示広告選択部
１７１  データベース制御部
１７２  表示広告データベース
１７４  検索条件データベース
１９９  温湿度センサ
２００  利用者
２０１  カード発行会社
２０２  販売店
２０３  自動販売機
２０４  チャージ機
３０１  サンプル見本
３０２  札投入口
３０３  釣銭戻しレバー
３０４  硬貨投入口
３０５  ＩＣカード読取部
３０６  液晶表示部
３０８  釣銭口
３０９  商品搬出口
８３０  情報管理サーバ
８３１  通信部
８５０  データベース制御部
８５１  表示広告データベース
９４０  中継サーバ
９５０  通信網
１２２３  サンプル
１２２５  バックライト
１２２７  商品選択ボタン
１２２９  ナビゲーション表示部
１２３１  集客状況センサ
【図１】
2007172637.tif 000003
【図２】
2007172637.tif 000004
【図３】
2007172637.tif 000005
【図４】
2007172637.tif 000006
【図５】
2007172637.tif 000007
【図６】
2007172637.tif 000008
【図７】
2007172637.tif 000009
【図８】
2007172637.tif 000010
【図９】
2007172637.tif 000011
【図１０】
2007172637.tif 000012
【図１１】
2007172637.tif 000013
【図１２】
2007172637.tif 000014
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
データキャリアを利用して商品の販売を行うとともに利用者に情報を提示する自動販売機であって、
データキャリアを受け付けるデータキャリア受付手段と、
前記自動販売機が設置された環境に関わる環境情報を取得する環境情報取得手段と、
前記環境情報を考慮して、前記利用者に提示する情報コンテンツを選択する情報選択手段と、
選択した情報コンテンツを利用者に提示する情報提示手段と、
前記情報コンテンツを格納する情報記憶手段と、
を備え、
前記情報コンテンツは、一または二以上の項目からなる条件に関連づけられており、
前記情報選択手段は、前記情報記憶手段を参照して、各項目について前記条件と前記環境情報取得手段が取得した環境情報とを比較して、各項目について前記条件と前記環境情報とが一致しているかどうかを判断し、すべての項目について前記条件と前記環境情報とが一致しているとき、前記条件が前記環境情報に合致すると判断して、前記条件に関連づけられた前記情報コンテンツを、前記利用者に提示する情報コンテンツとして選択することを特徴とする自動販売機。
【請求項２】
請求項１に記載の自動販売機において、
前記データキャリアが利用者情報を含み、
前記データキャリアから前記利用者情報を抽出する利用者情報抽出手段をさらに備え、
前記情報選択手段は、前記環境情報に加え前記利用者情報をも考慮して、前記利用者に提示する情報コンテンツを選択することを特徴とする自動販売機。
【請求項３】
請求項２に記載の自動販売機において、
利用者からの商品購入要求を受け付ける購入要求受付手段と、
前記利用者情報に基づいて前記商品の販売を許可または禁止する販売可否判断手段と、
販売が許可されたとき、前記購入要求に応じて前記商品を払い出す払い出し手段と、
をさらに備えることを特徴とする自動販売機。
【請求項４】
請求項１乃至３いずれかに記載の自動販売機において、前記情報選択手段は、情報管理サーバにあらかじめ登録された販売促進施策に関する情報をあわせて考慮して、前記情報コンテンツを選択することを特徴とする自動販売機。
【請求項５】
請求項１乃至４いずれかに記載の自動販売機において、前記環境情報は、前記自動販売機周辺の人の密集状況に関する情報を含むことを特徴とする自動販売機。
【請求項６】
請求項１乃至５いずれかに記載の自動販売機において、前記環境情報は、販売日時に関する情報を含むことを特徴とする自動販売機。
【請求項７】
請求項１乃至６いずれかに記載の自動販売機において、前記環境情報は、販売時における気温または湿度に関する情報を含むことを特徴とする自動販売機。
【手続補正３】
【補正対象書類名】明細書
【補正対象項目名】０００１
【補正方法】変更
【補正の内容】
【０００１】
本発明は、商品の販売を行うとともに利用者に広告等の情報を提示する自動販売機に関するものである。
【手続補正４】
【補正対象書類名】明細書
【補正対象項目名】０００２
【補正方法】変更
【補正の内容】
【０００２】
自動販売機の全面パネルを利用して商品の宣伝・広告等の情報提供を行う技術は、従来から多くの検討がなされてきた。たとえば、商品陳列棚に広告宣伝文字を表示させたり、硬貨投入時を契機として商品宣伝やゲーム表示を行う自動販売機が開発されてきた。
【手続補正５】
【補正対象書類名】明細書
【補正対象項目名】０００４
【補正方法】変更
【補正の内容】
【０００４】
しかしながら、こうした従来の広告技術は、自動販売機の設置された環境に対応した適切な広告を選択するという発想に立ったものではなかった。
【手続補正６】
【補正対象書類名】明細書
【補正対象項目名】０００６
【補正方法】変更
【補正の内容】
【０００６】
本発明は、上記事情に鑑みなされたものであり、自動販売機の設置された環境に応じて、最も情報提示効果の高い情報コンテンツを選択し、提示することのできる自動販売機を提供することを目的とする。
【手続補正７】
【補正対象書類名】明細書
【補正対象項目名】０００７
【補正方法】変更
【補正の内容】
【０００７】
本発明によれば、データキャリアを利用して商品の販売を行うとともに利用者に情報を提示する自動販売機であって、データキャリアを受け付けるデータキャリア受付手段と、前記自動販売機が設置された環境に関わる環境情報を取得する環境情報取得手段と、前記環境情報を考慮して、前記利用者に提示する情報コンテンツを選択する情報選択手段と、選択した情報コンテンツを利用者に提示する情報提示手段と、前記情報コンテンツを格納する情報記憶手段と、を備え、前記情報コンテンツは、一または二以上の項目からなる条件に関連づけられており、前記情報選択手段は、前記情報記憶手段を参照して、各項目について前記条件と前記環境情報取得手段が取得した環境情報とを比較して、各項目について前記条件と前記環境情報とが一致しているかどうかを判断し、すべての項目について前記条件と前記環境情報とが一致しているとき、前記条件が前記環境情報に合致すると判断して、前記条件に関連づけられた前記情報コンテンツを、前記利用者に提示する情報コンテンツとして選択することを特徴とする自動販売機が提供される。
本発明の自動販売機において、前記データキャリアが利用者情報を含み、前記データキャリアから前記利用者情報を抽出する利用者情報抽出手段をさらに備え、前記情報選択手段は、前記環境情報に加え前記利用者情報をも考慮して、前記利用者に提示する情報コンテンツを選択してもよい。こうすれば、利用者情報をも考慮して、利用者に提示する情報コンテンツが選択されるため、情報を提示する側の情報ではなく、利用者側の情報を反映させて情報コンテンツが選択され、利用者の年齢層や性別、嗜好等に応じて最も提示効果の高い情報コンテンツが利用者に提示される。
自動販売機における広告表示は、従来では不特定人を対象としていたため、広告表示に用いる情報自体の差別化を図ることによって、その実効をあらしめようとしていた。しかし、マーケティング上の戦略施策を広告によって達成するためには、特定人ごとに対して広告の抽出、編集を行う必要がある。そこで、本発明において、たとえば認証という行為を通じて取得可能となる利用者各々の属性情報、すなわち利用者各々の静的情報を基礎として、更には、例えば、購入した商品・数量等の利用者の商品購入行動、自動販売機の設置周辺の人口密集度、自動販売機周辺の集客状況等の動的情報を加えてもよい。こうすることにより、利用者及び表示場所周辺の状況に応じた適切な広告の抽出および表示が実現される。
また、本発明の自動販売機において、利用者からの商品購入要求を受け付ける購入要求受付手段と、前記利用者情報に基づいて前記商品の販売を許可または禁止する販売可否判断手段と、販売が許可されたとき、前記購入要求に応じて前記商品を払い出す払い出し手段と、をさらに備えてもよい。
本発明の自動販売機において、前記情報選択手段は、情報管理サーバにあらかじめ登録された販売促進施策に関する情報をあわせて考慮して、前記情報コンテンツを選択してもよい。
本発明の自動販売機において、前記環境情報は、前記自動販売機周辺の人の密集状況に関する情報を含んでもよい。
本発明の自動販売機において、前記環境情報は、販売日時に関する情報を含んでもよい。
また、本発明の自動販売機において、前記環境情報は、販売時における気温または湿度に関する情報を含んでもよい。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】変更
【補正の内容】
【００１４】
本発明は、商品の販売に際し、データキャリアの提示を求める自動販売機に関するものである。本発明において、データキャリアから抽出した利用者情報、すなわち、利用者の年齢、性別、居住エリア等の情報を考慮して広告コンテンツ等の情報コンテンツを選択することもできる。こうすれば、たとえば利用者の特性に合致した広告効果の高い広告コンテンツが適切に選択され、提示される。従来、この種の広告提示は、自動販売機を統括するセンター等から配信された広告コンテンツを適宜スケジューリングしながら利用者に表示するものが主流であり、広告を提示する側の情報に基づいて広告の選択がなされていた。これに対し本発明において、広告を提示する側の情報ではなく、利用者側の情報を反映させて広告コンテンツを選択すれば、利用者の年齢層や性別、嗜好等に応じて最も広告効果の高い広告コンテンツを利用者に提示することができる。さらに、本発明においては、利用者情報として上記の静的情報に加えて利用者別商品購入履歴情報などの動的情報をさらに用いてもよい。こうすることによって、より一層販売促進効果の高い広告コンテンツを利用者に提示することができる。
【手続補正１５】
【補正対象書類名】明細書
【補正対象項目名】００１５
【補正方法】変更
【補正の内容】
【００１５】
本発明において情報コンテンツを選択する際、種々の情報を考慮する構成とすることができる。こうした情報としては、
(i)情報管理サーバにあらかじめ登録された販売促進施策に関する情報（例えば販売促進商品情報）、
(ii)販売日時、
(iii)販売時における気温または湿度、
(iv)自動販売機の集客状況、
(v)自動販売機の設置された場所周辺の人の密集状況、
等を例示することができ、これらを組み合わせて考慮することにより、より一層効果的な情報コンテンツを選択することができる。なお、(ii)〜(v)は、販売環境に関する情報であるため、これらを適宜「環境情報」と呼ぶ。環境情報のうち、(iii)は静的情報、(iv)〜(v)は動的情報に分類され、(iv)は(v)の一態様である。したがって、本発明においては、利用者情報、環境情報それぞれについて静的情報、動的情報を反映させて情報コンテンツを選択することが可能となる。
【手続補正１６】
【補正対象書類名】明細書
【補正対象項目名】００１６
【補正方法】変更
【補正の内容】
【００１６】
本発明において、情報選択手段は環境情報を考慮し、適宜利用者情報や販売促進情報等をさらに考慮して情報コンテンツを選択する。選択の仕方については種々の方式を採用できる。たとえば、複数の情報コンテンツを格納する情報記憶手段を備え、情報選択手段が、この情報記憶手段に格納された情報コンテンツから、利用者に提示する情報コンテンツを選択する方式を採用することができる。情報記憶手段は自動販売機の内部に配置されていてもよいし外部に配置されていてもよい。
【手続補正１７】
【補正対象書類名】明細書
【補正対象項目名】００１７
【補正方法】変更
【補正の内容】
【００１７】
本発明において、情報選択手段によって選択される情報コンテンツには、販売促進をナビゲートするためのナビゲート用コンテンツを含むことができる。こうすることにより、利用者情報や環境情報、販売促進情報等に即した情報コンテンツを提示するとともに、販売促進の購入に導くためのナビゲート用コンテンツを提示させることが可能となる。したがって、利用者に適切な情報提示を行うことに加え、利用者が販売促進対象商品をより購入しやすくするためのナビゲート用コンテンツを選択し、提示することが可能となる。よって、販売促進対象商品の購入に導くための情報提示を的確に行うことができる。
【手続補正１８】
【補正対象書類名】明細書
【補正対象項目名】００２２
【補正方法】変更
【補正の内容】
【００２２】
本発明における販売可否判断手段は、利用者情報とあらかじめ設定された販売許可条件とを比較することにより、商品の販売を許可または禁止するものとすることができる。また、利用者の情報以外の要素を考慮して販売可否判断を行ってもよい。たとえば、商品購入要求が一定の時間帯内になされた場合に商品の販売を禁止する構成とすることもできる。こうした時間帯による販売規制は、たとえば酒類等の販売等に関し好適に適用される。
【手続補正１９】
【補正対象書類名】明細書
【補正対象項目名】００２４
【補正方法】変更
【補正の内容】
【００２４】
以上説明したように本発明によれば、自動販売機の設置された環境に応じて最も提示効果の高い情報コンテンツが利用者に提示される。
【手続補正２０】
【補正対象書類名】明細書
【補正対象項目名】００５４
【補正方法】変更
【補正の内容】
【００５４】
なお、第一の実施形態における図６と同様に、図９においても、検索条件に合致した広告が、データベース制御部１７１から制御部１２５へ直接送信される構成としてもよい。こうすることにより、広告の提示に要する時間が短くなり、効率の良い広告提示が実現される。
以上、本発明を実施の形態をもとに説明した。この実施の形態は例示であり、様々な応用が可能なことは当業者に理解されるところである。なお、本発明において利用者に関する情報を取得、利用する場合は、これを適法に行うものとする。